(57)【要約】【課題】床面にこぼれたパチンコ玉を簡単に回収することができ、回収作業の省力化と遊戯施設の美観向上を図ることができるパチンコ遊戯施設における床面のこぼれ玉回収装置を提供する。【解決手段】パチンコ機島１を設置した床面Ａに、パチンコ機島１の長さ方向に沿って、パチンコ玉が落ち込む幅の上面開口及び長さ方向に傾斜する底面を有する集球溝７を配置し、上記集球溝７の傾斜状底面の下がり側端部の位置に、集球溝７内を転動してきたパチンコ玉が落ち込むピット８とを設け、このピット８の内部に、ピット８内へ落ち込んだパチンコ玉の収納容器９が出し入れ可能に納められている。【選択図】  図２
2004159748.tif 000002
【特許請求の範囲】
【請求項１】
パチンコ機島を設置した床面に、パチンコ機島の長さ方向に沿って配置され、パチンコ玉が落ち込む幅の上面開口及び長さ方向に傾斜する底面を有する集球溝と、上記集球溝の傾斜状底面の下がり側端部の位置に配置され、集球溝内を転動してきたパチンコ玉が落ち込むピットとを設け、このピットの内部にピット内へ落ち込んだパチンコ玉の収納容器を出し入れ可能に納めたパチンコ遊戯施設における床面のこぼれ玉回収装置。
【請求項２】
上記集球溝はパチンコ機島の下部に近接する位置に、パチンコ機島の略全長にわたる長さの範囲に配置され、上記ピットの上端開口を蓋材で開閉可能に閉鎖した請求項１に記載のパチンコ遊戯施設における床面のこぼれ玉回収装置。
【発明の詳細な説明】
【０００１】
【発明の属する技術分野】
この発明は、パチンコ遊戯施設において、遊戯者が床面にこぼしたパチンコ玉を効率よく回収することができるようにしたこぼれ玉回収装置に関する。
【０００２】
【従来の技術】
パチンコの遊戯中に、遊戯者がパチンコ機の玉皿と島の棚に置いた玉箱の間において、玉皿から溜まったパチンコ玉の取り出しや、手作業でのパチンコ玉の移動作業を行うことがあるが、このような作業時にパチンコ玉をこぼすことがよくある。
【０００３】
大量にパチンコ玉をこぼした場合は別として、遊戯者が椅子に座って遊戯している途中にこぼれた数個のパチンコ玉を取りに行くのは面倒であるので、大半の遊戯者は、床面にこぼしたパチンコ玉をそのまま放置している。
【０００４】
しかし、床面にパチンコ玉がこぼれていると、見た目に汚く極めて不体裁であり、遊戯施設のイメージダウンにつながるだけでなく、遊戯者がパチンコ玉を踏んで滑ることで転倒するという危険性もある。
【０００５】
また、パチンコ玉は有価物であり、床面にこぼれたパチンコ玉をそのまま放置しておくことは、パチンコ玉の使用サイクルに無駄が生じることことになり、遊戯施設の経営面からみても好ましくない。
【０００６】
従来、床面にこぼれたパチンコ玉の有効な回収装置はなく、このため、ハンドルの先に取り付けた磁石を用い、店員が遊戯施設内を歩いて廻り、こぼれたパチンコ玉を磁石で吸着することで回収しているのが現状である。
【０００７】
【発明が解決しようとする課題】
しかし、磁石によるパチンコ玉の回収は、一々腰を屈める必要があり、作業が重労働になると同時に、磁石から外した後のパチンコ玉は店員が持ち歩なければならないので回収作業が面倒なものとなる。
【０００８】
そこで、この発明の課題は、床面にこぼれたパチンコ玉をパチンコ機島の下部に向けて転がすようにするだけで回収することができ、回収作業の省力化と遊戯施設の美観向上を図ることができるパチンコ遊戯施設における床面のこぼれ玉回収装置を提供することにある。
【０００９】
【課題を解決するための手段】
上記のような課題を解決するため、この発明は、パチンコ機島を設置した床面に、パチンコ機島の長さ方向に沿って配置され、パチンコ玉が落ち込む幅の上面開口及び長さ方向に傾斜する底面を有する集球溝と、上記集球溝の傾斜状底面の下がり側端部の位置に配置され、集球溝内を転動してきたパチンコ玉が落ち込むピットとを設け、このピットの内部にピット内へ落ち込んだパチンコ玉の収納容器を出し入れ可能に納めた構成を採用したものである。
【００１０】
上記集球溝は、パチンコ機島の下部幅木に近接する位置に、パチンコ機島の略全長にわたる長さの範囲に配置され、上記ピットの上端開口を蓋材で開閉可能に閉鎖した構造とすることができる。
【００１１】
ここで、遊戯場の床面におけるパチンコ機島の下部幅木に近接する位置で、パチンコ機島の長さ方向の一方端部もしくは長さ方向の中間部にピットを設け、集球溝はパチンコ機島の下部幅木に近接して配置し、ピットを端部に配置した場合は、集球溝の全長をピットに向けて下がり傾斜とすると共に、中間部にピットを配置した場合は、両側に分断された集球溝を、それぞれピットに向けて下がり傾斜となる逆傾斜に形成すればよく、床面にこぼれたパチンコ玉を、適宜の手段でパチンコ機島に向けて転がすだけで集球溝内に落ち込み、その傾斜下がり側に転動してピット内の収納容器に納まることになる。
【００１２】
また、ピット内の収納容器は、集球溝のピット内に対する開口の下端よりも下方に位置するよう収納され、集球溝を転動してきたパチンコ玉が収納容器内に落ち込むようにしていると共に、パチンコ玉の溜まった収納容器は、上部両側に設けた提げ手の部分を持ち上げることでピットの外部に取り出すことができるようになっている。
【００１３】
【発明の実施の形態】
以下、この発明の実施の形態を図示例と共に説明する。
【００１４】
図１のように、パチンコ遊戯施設における床面Ａのパチンコ機島１の配列の一例を示し、各パチンコ機島１は、図３のように、腰板２と天板３や幅木４等からなる長い島下段を形成し、上記天板３の上部に複数台のパチンコ機５を一定の間隔で設置した構造になっている。
【００１５】
上記パチンコ遊戯施設において、床面Ａにこぼれたパチンコ玉の回収装置６は、床面に設置した各パチンコ機島１ごとに設けられ、パチンコ機５が両面の島１にはその両側に配置されることになる。
【００１６】
このパチンコ玉の回収装置６は、パチンコ機島１の長さ方向に沿って配置された集球溝７と、上記集球溝７の傾斜状底面の下がり側端部の位置に配置され、集球溝７内を転動してきたパチンコ玉が落ち込むようにしたピット８と、このピット８の内部に出し入れ可能に収納され、ピット８内へ落ち込んだパチンコ玉が納まる収納容器９とで形成されている。
【００１７】
上記ピット８は、遊戯場の床面Ａにおけるパチンコ機島１の下部幅木４に近接する位置で、パチンコ機島１の長さ方向の略中央部に設けられ、図４（Ｃ）と（Ｄ）のように、床面Ａに上端開口状の金属ケース１０を埋設することによって、所定の深さと平面的な大きさを有するように形成され、その上端開口が床面Ａと同じレベル高さとなる蓋材１１で開閉可能に閉鎖されている。
【００１８】
上記集球溝７は、パチンコ玉が落ち込む幅の上面開口及び長さ方向に傾斜する底面１２を有し、図３のように、パチンコ機島１の幅木４に近接して配置され、ピット８で分断された両側の集球溝７の底面は、図２の如く、ピットに向けて下がり傾斜となる逆傾斜に形成され、下がり側の上下に長い端部はピット８内のパチンコ機島１寄りの片寄った位置で開口１３になっている。
【００１９】
この集球溝７は、金属板をパチンコ玉が落ち込む幅の断面コ字状に折り曲げ上部両側にフランジを設けた樋状金物１４を、フランジが床面Ａと同じレベル高さとなるよう床面Ａの凹溝に埋め込むことによって形成され、底面１２は落ち込んだパチンコ玉が下がり側へ転動するような傾斜に設定されている。
【００２０】
上記集球溝７は、パチンコ玉が落ち込む程度の幅で開口し、パチンコ機島１の下部幅木４に近接する位置に設けることにより、床面に落ちたパチンコ玉が最も集まりやすい位置になっていると共に、この集球溝７及び蓋材１１で閉鎖したピット８は、パチンコ遊戯に何らの支障を与えることがない。
【００２１】
上記ピット８内の収納容器９は、集球溝７のピット８内に対する開口１３の下端よりも下方に位置するよう収納され、集球溝７を転動してきたパチンコ玉が収納容器９内に落ち込むようにしていると共に、パチンコ玉の溜まった収納容器９は、上部両側に設けた提げ手１５の部分を持ち上げることでピット８の外部に取り出すことができるようになっている。
【００２２】
なお、図示の場合、ピット８はパチンコ機島１の長さ方向の略中央部に設けたが、ピット８はパチンコ機島１の長さ方向のどの位置に設けてもよく、パチンコ機島１の一方端部に設けた場合、集球溝７は一本をピット８に向けて下がり傾斜となるようにし、また、パチンコ機島１の両端にピット８を設けた場合は、両端のピット８間に配置した集球溝７を中央から逆傾斜にすればよい。
【００２３】
この発明の回収装置は、上記のような構成であり、パチンコ遊戯場の床面Ａにこぼれたパチンコ玉の回収は、床面Ａのパチンコ玉を店員が足を使う等の適宜の方法でパチンコ機島１に向けて転がすだけでよく、パチンコ玉は床面Ａに開口している集球溝７内に落ち込むことになる。
【００２４】
上記集球溝７は、パチンコ機島１の幅木４に近接して配置されているので、少し強く転がしても幅木４に当たることで集球溝７内へ確実に落ち込むことになり、集球溝７内に落ち込んだパチンコ玉は、集球溝７の底面１２が傾斜している側へ自然に転動し、端部の開口１３からピット８内の収納容器９内に落下して収納される。
【００２５】
このように、床面Ａにこぼれたパチンコ玉は、パチンコ機島１に向けて転がすようにするだけでピット８内の収納容器９内に回収することができるので、床面Ａにこぼれたパチンコ玉の回収が簡単に行えることになり、収納容器９に溜まったパチンコ玉は、蓋板１１を開いたピット８内から収納容器９と共に取り出すことによって再使用することができる。
【００２６】
【発明の効果】
以上のように、この発明によると、パチンコ機島を設置した床面に、パチンコ玉が落ち込む幅の上面開口及び長さ方向に傾斜する底面を有する集球溝をパチンコ機島の長さ方向に沿って形成し、この集球溝の下がり側端部に設けたピット内に収納容器を納めたので、遊技場の床面にこぼれたパチンコ玉をパチンコ機島に向けて転がすようにするだけで、収納容器内に回収することができ、床面のこぼれ玉を転がすだけの簡単な作業で済むので、回収作業の省力化が可能になると共に、店員がパチンコ機島間を移動する際に床面のこぼれ玉を転がすように心掛ければ、床面のこぼれ玉がなくなり、遊戯施設の美観維持及び向上を図ることができる。
【図面の簡単な説明】
【図１】こぼれ玉回収装置を設けたパチンコ遊戯施設の平面図
【図２】こぼれ玉回収装置の縦断正面図
【図３】こぼれ玉回収装置の縦断側面図
【図４】（Ａ）はこぼれ玉回収装置のピット部分の平面図、（Ｂ）は（Ａ）の矢印ａ−ａに沿う縦断側面図、（Ｃ）は（Ａ）の矢印ｂ−ｂに沿う縦断正面図、（Ｄ）は（Ａ）の矢印ｃ−ｃに沿う縦断側面図
【符号の説明】
１  パチンコ機島
２  腰板
３  天板
４  幅木
５  パチンコ機
６  回収装置
７  集球溝
８  ピット
９  収納容器
１０  金属ケース
１１  蓋材
１２  底面
１３  開口
１４  樋状金物
１５  提げ手
【図１】
2004159748.tif 000003
【図２】
2004159748.tif 000004
【図３】
2004159748.tif 000005
【図４】
2004159748.tif 000006